(57)【要約】
【課題】　時計の文字面の単調で変化に乏しい欠点を解決する３Ｄ立体動画の伝動装置の提供。
【解決手段】　時計内に３Ｄ立体動画の伝動装置を設け、それは面框と３Ｄ立体図片で組成された動画部分と、減速モータと偏心輪で組成された伝動部分を具え、これにより既存の指針の回転に影響を与えずに、同期に減速モータと偏心輪を駆動し、並びに３Ｄ立体図片を面框内でゆっくりと上下にスライドさせて、連続或いは変化に富む特殊視覚効果を現出し、並びに個人の独特の風格を突出させる機能を達成する。
【選択図】　　　　図２
0003100025.tif 000002
【実用新案登録請求の範囲】
【請求項１】
　時計構造に結合されて文字面に随時連続或いは変化に富む特殊視覚効果を現出させ、時計が前蓋と後ろ蓋で組成され、前蓋が環状中空蓋体とされて中空部分に透明状のカバーが嵌め込まれ、カバーの中央に円形透明区域が画定されて３Ｄ立体動画視覚効果を現出させ、及び円形透明区域の周囲が文字が印刷された文字区域とされ、後ろ蓋も環状カバー体とされて中央に軸孔が設けられ、並びに一側面に内部に電源を具えた駆動モータが設置されて駆動モータの軸心が貫通して軸孔外に突出して時針、分針、秒針を含む指針に接合された３Ｄ立体動画の伝動装置において、
　３Ｄ立体動画の伝動装置が面框と３Ｄ立体図片で組成された動画部分と、減速モータと偏心輪で組成された伝動部分を具え、該面框が前蓋と後ろ蓋より小さく且つ透明状の矩形の薄い框体とされ、表面に凹凸の相互に離間された顆粒が均一に分布し、且つ中央に小孔が設けられて駆動モータの軸心が通され、並びに３Ｄ立体図片の嵌め置きとスライドに供され、３Ｄ立体図片の長さが面框より長く、且つ表面中央に該小孔に対応する長孔が設けられ、駆動モータの軸心が通された後に上下移動可能とされ、３Ｄ立体図片の下方辺縁に凹口が形成され、減速モータが後ろ蓋の駆動モータの下方に設置され、その軸心が後ろ蓋を貫通して偏心輪に接合され、該偏心輪が３Ｄ立体図片の下方辺縁の凹口に当接し、これにより減速モータが偏心輪を駆動して回転することで３Ｄ立体図片が上下にスライドし、３Ｄ立体動画を形成することを特徴とする、３Ｄ立体動画の伝動装置。
【請求項２】
　前記面框の結合と位置決めが、後ろ蓋の端面の辺縁近くのＬ形を呈する複数の位置決め部とストッパ部により達成されたことを特徴とする、請求項１記載の３Ｄ立体動画の伝動装置。
【考案の詳細な説明】
【技術分野】
【０００１】
　本考案は時計の文字盤に適用され、指針回転に影響を与えずに、連続或いは変化に富む特殊視覚効果を現出し、個人の独特な風格を突出させる３Ｄ立体図片に関する。
【背景技術】
【０００２】
　時計の機能は人々に随時現在の正確な時間を知らせることにあるが、多くのメーカーが各種の付加機能を設けて商品の競争力を高めるべく工夫をしている。例えば、指針に液晶ディスプレイスクリーン、万年暦を組み合わせたり、特定の年の祭日或いは記念日を表示する機能を設けたものがあり、さらには透明ケースで直接ムーブメントの動作が見えるようにした設計もあり、これにより消費者の購入意欲を引き出している。
【０００３】
　しかし、上述のような付加機能は時計の実用価値を高めるが、全体としては時計の平面の改良設計にすぎず、一部にコレクション価値があるほかは、時代の変化につれて淘汰されれる運命にある。これは時計が単調で変化に乏しい平面視覚効果しか有していないためである。これに代わって、時計の文字面に２Ｄあるいは３Ｄ動画の視覚効果を設けたものがあり、例えば、特許文献１から４がある。このように時計業者は不断に開発を進め、新規で美しい造形により消費者の注意と購入意欲を引き出している。
【０００４】
【特許文献１】台湾特許公告第２２７３３４号明細書
【特許文献２】台湾特許公告第２４０８３０号明細書
【特許文献３】台湾特許公告第３２４５３５号明細書
【特許文献４】台湾特許公告第４７４４１９号明細書
【考案の開示】
【考案が解決しようとする課題】
【０００５】
　本考案は一種の３Ｄ立体動画の伝動装置を提供することを課題とし、それは時計内に、面框と３Ｄ立体図片で構成した動画部分、及び、減速モータと偏心輪で組成した伝動部分とを設け、時計の指針の回転に影響を与えずに、同期に減速モータと偏心輪の動作を駆動し、並びに３Ｄ立体図片を面框内でゆっくりと上下にスライドさせ、これにより連続或いは変化に富む特殊な視覚効果を現出させ、並びに個人の独特の風格を突出させる機能を達成するものとする。
【課題を解決するための手段】
【０００６】
　請求項１の考案は、時計構造に結合されて文字面に随時連続或いは変化に富む特殊視覚効果を現出させ、時計が前蓋と後ろ蓋で組成され、前蓋が環状中空蓋体とされて中空部分に透明状のカバーが嵌め込まれ、カバーの中央に円形透明区域が画定されて３Ｄ立体動画視覚効果を現出させ、及び円形透明区域の周囲が文字が印刷された文字区域とされ、後ろ蓋も環状カバー体とされて中央に軸孔が設けられ、並びに一側面に内部に電源を具えた駆動モータが設置されて駆動モータの軸心が貫通して軸孔外に突出して時針、分針、秒針を含む指針に接合された３Ｄ立体動画の伝動装置において、
　３Ｄ立体動画の伝動装置が面框と３Ｄ立体図片で組成された動画部分と、減速モータと偏心輪で組成された伝動部分を具え、該面框が前蓋と後ろ蓋より小さく且つ透明状の矩形の薄い框体とされ、表面に凹凸の相互に離間された顆粒が均一に分布し、且つ中央に小孔が設けられて駆動モータの軸心が通され、並びに３Ｄ立体図片の嵌め置きとスライドに供され、３Ｄ立体図片の長さが面框より長く、且つ表面中央に該小孔に対応する長孔が設けられ、駆動モータの軸心が通された後に上下移動可能とされ、３Ｄ立体図片の下方辺縁に凹口が形成され、減速モータが後ろ蓋の駆動モータの下方に設置され、その軸心が後ろ蓋を貫通して偏心輪に接合され、該偏心輪が３Ｄ立体図片の下方辺縁の凹口に当接し、これにより減速モータが偏心輪を駆動して回転することで３Ｄ立体図片が上下にスライドし、３Ｄ立体動画を形成することを特徴とする、３Ｄ立体動画の伝動装置としている。
　請求項２の考案は、前記面框の結合と位置決めが、後ろ蓋の端面の辺縁近くのＬ形を呈する複数の位置決め部とストッパ部により達成されたことを特徴とする、請求項１記載の３Ｄ立体動画の伝動装置としている。
【考案の効果】
【０００７】
　本考案の３Ｄ立体動画の伝動装置は時計に応用され、周知の時計の表面の平面視覚効果に新しさと流行感がない問題を解決し、時計の実用価値を高め、且つ相当に個人の独特の風格を突出させることができる。特に３Ｄ立体動画は減速モータに偏心輪を組み合わせた作動方式により自動的にゆっくりと連続変化し、周知の、使用者が異なる角度から見ることで視覚変化を現出させるものとは全く異なる。
　本考案の３Ｄ立体動画の伝動装置は新規性、実用性を具え、実用新案登録の要件を具備している。
【考案を実施するための最良の形態】
【０００８】
　本考案の３Ｄ立体動画の伝動装置は時計内に設けられる。それは３Ｄ立体動画部分と伝動構造の二つの部分に分けられる。この時計は相互に組み合わされる前蓋と後ろ蓋、カバー、駆動モータ、指針等のユニットを具えている。３Ｄ立体動画部分は面框と３Ｄ立体図片で構成される。そのうち面框は前蓋と後ろ蓋よりやや小さく且つ内部に固定され、３Ｄ立体図片の嵌め置きとスライドに供され、並びに表面に均一に凹凸顆粒が相互に離間するよう設置され、３Ｄ立体図片の長さは面框よりやや長く、並びに下方辺縁に凹口が形成されている。伝動構造は減速モータと偏心輪を具え、減速モータが偏心輪を駆動して回転させ、偏心輪が３Ｄ立体図片の下方の凹口内に収容され、これにより３Ｄ立体図片が面框内で上下にゆっくりとスライドし、３Ｄ連続動画効果を現出する。
【実施例１】
【０００９】
　図１、７は本考案が運用される時計の文字面の形態を示し、使用者が手部に装着する時、多様で豊富な変化を有する特殊視覚効果を獲得できる。
【００１０】
　図２に示されるように、本考案は構造設計上、時計構造１、及び３Ｄ立体動画伝動構造３の二つの部分に分けられる。
【００１１】
　該時計構造１は相互に組み合わされる前蓋１０、後ろ蓋２０で組成され、前蓋１０は環状の中空蓋体とされ、且つ中空部分に透明状のカバー１１が設けられ、該カバー１１の中央に円形透明区域１１１が画定されて３Ｄ立体動画視覚効果を現出するのに供され、周囲は時刻数字が印刷されて文字区域１１２とされる。後ろ蓋２０もまた環状ケース体とされその端面中央に軸孔２１が設けられ、並びに一側面に駆動モータ２２が設けられ、駆動モータ２２の軸心がこの軸孔２１より突出して時針、分針及び秒針の指針２３に結合されている。
【００１２】
　３Ｄ立体動画伝動構造３は面框３０と３Ｄ立体図片３１で組成された動画部分と、減速モータ３２と偏心輪３３で組成された伝動部分を具えている。該面框３０は前蓋１０、後ろ蓋２０より小さく且つ透明状を呈する矩形の薄い框体とされ、表面に凹凸が相互に隔てられた顆粒が均一に分布され且つ中央に小孔３０１が設けられて駆動モータ２２の軸心が挿入され、並びに３Ｄ立体図片３１の嵌め置きとスライドに供される。また図３に示されるように、面框３０は後ろ蓋２０の一端面の辺縁近くに設置されたＬ形を呈する複数の位置決め部２０１とストッパ部２０２によりその結合と位置決めを達成する。３Ｄ立体図片３１の長さは面框３０よりやや長く、且つ表面中央に長孔３１１と小孔３０１と対応するように設けられ、駆動モータ２２の軸心が通された後に上下移動することができ、また、３Ｄ立体図片３１の下方辺縁の適当な位置に凹口３１２が形成されている。減速モータ３２は後ろ蓋２０の駆動モータ２２の下方に設置され、その軸心は後ろ蓋２０を貫通して偏心輪３３に結合され、図４に示されるように、偏心輪３３は３Ｄ立体図片３１下方の凹口３１２に当接し、これにより減速モータ３２が偏心輪３３を駆動し回転させることにより、３Ｄ立体図片３１が駆動され上下にスライドし、これは図５に示されるとおりである。
【００１３】
　上述の時計構造１と３Ｄ立体動画構造３の組合せにより、３Ｄ立体動画効果を有する時計が形成され、これは図１、７、６に示されるとおりである。
【００１４】
　以上の構造を実際に使用する時、駆動モータ２２は複数の指針２３を駆動して回転させ、時間指示の作用を達成する。減速モータ３２は偏心輪３３を駆動して回転させ、並びに３Ｄ立体図片３１を面框３０内で上下にゆっくりとスライドさせる。これにより、時計が多様で豊富な変化を有する特殊視覚効果を達成し、新時代の時代の傾向に符合し、且つ個人の独特の風格を突出させ、これは図８に示されるとおりである。
【図面の簡単な説明】
【００１５】
【図１】本考案の正面斜視図である。
【図２】本考案の全体構造の分解図である。
【図３】本考案の全体構造の局部構造分解図である。
【図４】本考案の偏心輪の外観図である。
【図５】本考案の局部動作表示図である。
【図６】本考案の全体断面図である。
【図７】本考案の背面外観図である。
【図８】本考案の実施状態表示図である。
【符号の説明】
【００１６】
１　時計構造　　　　　　　１０　前蓋
１１　カバー　　　　　　　１１１　透明区域
１１２　文字区域
２０　後ろ蓋　　　　　　　２０１　位置決め部
２０２　ストッパ部　　　　２１　軸孔
２２　駆動モータ　　　　　２３　指針
３　３Ｄ立体動画伝動装置
３０　面框　　　　　　　　３０１　小孔
３１　３Ｄ立体図片　　　　３１１　長孔
３１２　凹口　　　　　　　３２　減速モータ
３３　偏心輪
【図１】
0003100025.tif 000003
【図２】
0003100025.tif 000004
【図３】
0003100025.tif 000005
【図４】
0003100025.tif 000006
【図５】
0003100025.tif 000007
【図６】
0003100025.tif 000008
【図７】
0003100025.tif 000009
【図８】
0003100025.tif 000010